(57)【要約】【課題】保護者または子供用施設の担当者へ提供される子供に関する情報をより質の高いものとし、保護者または子供用施設の担当者の安心や負担の低減につなげることができる健康管理システムを提供する。【解決手段】健康管理システム１は、体温計１００と、情報端末３００と、サーバー４００と、を備える。サーバーは、各装置から子供の体温を取得する取得部と、取得部によって取得された体温を記憶する記憶部と、記憶部に記憶された体温を予め取得された体温の日毎または時間毎の変動と共に、情報端末に送信する送信部と、を有する。情報端末は、サーバーから受信した体温を、生体情報の日毎または時間毎の変動と比較可能に表示する表示部を有する。【選択図】図１
2020086917.tif 000002
【特許請求の範囲】
【請求項１】
子供用施設において対象者である子供の健康を管理する健康管理システムであって、
前記対象者の体温を測定する体温計と、
前記対象者の情報を表示可能とする情報端末と、
前記体温計および前記情報端末とネットワークを介して接続されたサーバーと、を備え、
前記サーバーは、
前記体温計および前記情報端末から、前記対象者の前記体温を取得する取得部と、
前記取得部によって取得された前記体温を記憶する記憶部と、
前記記憶部に記憶された前記体温を、予め取得された前記体温の日毎または時間毎の変動と共に、前記情報端末に送信する送信部と、を有し、
前記情報端末は、
前記サーバーから受信した前記体温を、前記体温の日毎または時間毎の変動と比較可能に表示する表示部を有する、健康管理システム。
【請求項２】
前記対象者の活動量を計測する活動量計を有し、
前記サーバーは、前記活動量に基づいて前記対象者に関するイベントを特定する特定部をさらに有し、
前記情報端末の前記表示部は、前記サーバーから受信した、前記対象者の前記体温、前記活動量および状態を相互に関連付けた前記対象者の生体情報およびイベントを、生体情報の日毎または時間毎の変動と比較可能に表示する請求項１に記載の健康管理システム。
【請求項３】
前記サーバーの前記取得部は、前記複数の子供用施設の室内または室外における環境温度、前記複数の子供用施設の室内または室外における環境湿度、および前記複数の子供用施設の近隣における感染症情報のうち少なくとも１つを含む環境情報をさらに取得し、
前記情報端末の前記表示部は、前記環境情報をさらに表示する、請求項２に記載の健康管理システム。
【請求項４】
前記サーバーは、前記生体情報の閾値を前記対象者の前記生体情報と比較して、前記対象者が異常状態か否かを判断する判断部をさらに有し、
前記サーバーの前記送信部は、前記判断部が前記対象者は異常状態であると判断した場合に、警告を前記情報端末に送信し、
前記情報端末は、前記サーバーから受信した前記警告を報知する報知部をさらに有する、請求項２または請求項３に記載の健康管理システム。
【請求項５】
前記生体情報の前記閾値は、前記対象者の前記生体情報の日毎または時間毎の変動、および前記イベントにおける前記対象者の前記生体情報のうち少なくとも１つの情報に基づいて決定される、請求項４に記載の健康管理システム。
【請求項６】
前記生体情報の前記閾値は、前記イベントまたは前記環境情報のうち少なくとも１つの情報に基づいて決定される、請求項４または請求項５に記載の健康管理システム。
【請求項７】
前記生体情報の前記閾値は、前記対象者である子供以外の１人以上の子供の前記生体情報に基づいて決定される、請求項４〜請求項６のいずれか１項に記載の健康管理システム。
【請求項８】
前記サーバーにおいて、
前記取得部は、前記対象者を含む複数の子供の前記生体情報を取得し、
前記特定部は、前記取得部によって取得された前記複数の子供の前記生体情報に基づいて、一定期間内に前記判断部が異常状態と判断した子供が多い近隣地域を特定し、
前記送信部は、前記特定部によって特定された前記近隣地域の前記情報端末に前記警告を送信する、請求項４〜請求項７のいずれか１項に記載の健康管理システム。
【請求項９】
前記サーバーは、
前記取得部から取得した測定原理の異なる複数の前記体温計の測定値に、前記測定原理の各々に応じた補正を加えた前記生体情報を生成する補正部をさらに有する、請求項２〜請求項８のいずれか１項に記載の健康管理システム。
【請求項１０】
前記活動量計は、前記対象者である子供の所有物に組み込まれ、識別情報が記録されたＩＣタグを含む、請求項２〜請求項９のいずれか１項に記載の健康管理システム。
【発明の詳細な説明】
【技術分野】
【０００１】
本発明は、子供用の健康管理システムに関する。
【背景技術】
【０００２】
教育施設や託児施設に預けられた子供、特に乳幼児は、虚弱体質によって急な体調変化を起こしやすい。施設に預けられた子供の症状に異常が生じた場合、体調が悪くなる前に直ぐに保護者へ知らせる必要がある。
【０００３】
例えば、下記特許文献１では、託児施設に預けた子供の体温などの生体情報を保護者が外部から知ることを可能にする託児モニタシステムが開示されている。
【先行技術文献】
【特許文献】
【０００４】
【特許文献１】特開２００５−３９５０８号公報
【発明の概要】
【発明が解決しようとする課題】
【０００５】
特許文献１に記載された託児モニタシステムは、保護者が預けた子供に関する生体情報が保護者に提供される。しかしながら、子供の体温などの生体情報は、時間帯などによって変化する。そのため、預けた子供の現時点での生体情報のみに基づいて、子供の症状に異常が生じたか否かを保護者または子供用施設の担当者が判断することは困難である。
【０００６】
本発明は、上述した課題を解決するためになされたものであり、保護者または子供用施設の担当者へ提供される子供に関する情報をより質の高いものとし、保護者または子供用施設の担当者の安心や負担の低減につなげることができる健康管理システムを提供することを目的とする。
【課題を解決するための手段】
【０００７】
上記目的を達成する本発明に係る健康管理システムは、対象者の体温を測定する体温計と、情報を表示可能とする情報端末と、体温計および情報端末とネットワークを介して接続されたサーバーと、を備える。前記サーバーは、前記体温計および前記情報端末から、前記対象者の前記体温を取得する取得部と、前記取得部によって取得された前記体温を記憶する記憶部と、前記記憶部に記憶された前記体温を、予め取得された前記体温の日毎または時間毎の変動と共に、前記情報端末に送信する送信部と、を有する。前記情報端末は、前記サーバーから受信した前記体温を、前記体温の日毎または時間毎の変動と比較可能に表示する表示部を有する。
【発明の効果】
【０００８】
上記のように構成した健康管理システムによれば、保護者または子供用施設の担当者へ提供される子供に関する情報をより質の高いものとし、保護者または子供用施設の担当者の安心や負担の低減につなげることができる。
【図面の簡単な説明】
【０００９】
【図１】本実施形態に係る健康管理システムの概略図である。
【図２】本実施形態に係る情報端末のハードウェア構成を示すブロック図である。
【図３】本実施形態に係る情報端末の概略図である。
【図４】本実施形態に係るサーバーのハードウェア構成を示すブロック図である。
【図５】本実施形態に係る生体情報の表示方法を説明するための図である。
【図６】本実施形態に係る生体情報の表示方法を説明するための図である。
【図７】本実施形態に係る生体情報の表示方法を説明するための図である。
【図８】本実施形態に係る生体情報の表示方法を説明するための図である。
【図９】本実施形態に係る環境情報の表示方法を説明するための図である。
【図１０】本実施形態に係る感染症情報の表示方法を説明するための図である。
【図１１】本実施形態に係る感染症情報の表示方法を説明するための図である。
【図１２】本実施形態に係る感染症情報の表示方法を説明するための図である。
【図１３】本実施形態に係る健康管理システムの制御方法を示す図である。
【図１４】本実施形態に係る健康管理システムの制御方法を示す図である。
【図１５】本実施形態に係る健康管理システムの制御方法を示す図である。
【図１６】本実施形態に係る健康管理システムの制御方法を示す図である。
【発明を実施するための形態】
【００１０】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１１】
図１は、本実施形態に係る健康管理システム１を示す図である。
【００１２】
図１に示すように、健康管理システム１は、複数の子供用施設において子供の健康を管理するシステムである。健康管理システム１は、体温計１００と、活動量計２００と、情報端末３００と、サーバー４００と、を有する。
【００１３】
ここで、本明細書では、体温計１００と、活動量計２００と、情報端末３００と、サーバー４００は、ネットワークを介して互いに接続されている。ネットワークに接続される各装置は、ＮＩＣ（Ｎｅｔｗｏｒｋ  Ｉｎｔｅｒｆａｃｅ  Ｃａｒｄ）や無線通信モジュール等の通信インターフェースを備えている。ネットワークは、例えば、無線基地局、Ｗｉ−Ｆｉアクセスポイント、通信回線、プロバイダ、インターネット等を含む。なお、これらの構成要素の全ての組み合わせが相互に通信可能である必要はなく、ネットワークは、一部にローカルなネットワークを含んでもよい。
【００１４】
「子供用施設」は、家庭、認可または無認可保育園、認可または無認可幼稚園、学童施設、児童施設、学習指導塾、特別支援学校、小学校、中学校、高等学校、高等専門学校、大学等を含む。
【００１５】
「子供」は、子供用施設を利用する１９歳以下の者を意味する。「子供」は、例えば、乳児、幼児等の児童、小学校や中学校等の生徒、大学生等を含む。本実施形態においては、保護者Ｐが子供用施設に預けている子供を、健康管理システム１による健康管理の対象である対象者Ｑとする。
【００１６】
（体温計１００）
体温計１００は、対象者Ｑの体温を測定する。体温計１００は、測定した体温を液晶画面等の表示部に表示する。体温計１００は、無線通信を介して、サーバー４００と通信可能な通信機能を有し、測定した体温をサーバー４００に発信する。なお、体温計１００は通信機能を備えていなくてもよい。この場合、測定者は、情報端末３００からサーバー４００にアクセスし、測定値を手入力することができる。
【００１７】
体温計１００の種類は、非接触型、接触型のいずれを用いてもよい。非接触型体温計の場合、測定の手間を少なくすることで、測定者は、長い時間、対象者Ｑに目を向けることができる。接触型体温計の場合、非接触型体温計より高信頼測定を行うことができる。
【００１８】
（活動量計２００）
活動量計２００は、対象者Ｑの活動量を測定する。活動量計２００は、例えば、対象者Ｑの識別情報等が記憶されたＩＣタグと、加速度センサーやＧＰＳデータ受信部等の活動量検出部と、を有する。ＩＣタグは、対象者Ｑの所有物、例えば名札、靴、帽子などに組み込まれている。ＩＣタグを対象者Ｑの所有物に組み込むことで、対象者Ｑが活動量計２００を無くすリスクや、活動量計２００による測定を行い忘れるリスクを避けることができる。また、ＧＰＳデータ受信部は、ＧＰＳ衛星からの電波に基づいて、位置情報を取得するものであって、位置情報を複数回受信することにより対象者Ｑの移動速度を計算することもできる。
【００１９】
活動量計２００は、ＩＣタグから取得した対象者Ｑの識別情報や活動量検出部から取得した活動量のデータを、ネットワークを介して、情報端末３００、サーバー４００等へ送信する通信機能を備える。なお、活動量計２００は、通信機能を備えていなくてもよい。この場合、測定者は、情報端末３００からサーバー４００にアクセスし、測定値を手入力することができる。
【００２０】
（情報端末３００）
図２は、本実施形態に係る情報端末３００のハードウェア構成を示すブロック図である。図３は、本実施形態に係る情報端末３００の概略図である。
【００２１】
情報端末３００は、例えば、ＰＣ、スマートフォン、タブレット端末等である。図１に示すように、情報端末３００は、保護者Ｐが所有する情報端末３００Ａと、子供用施設の担当者Ｒが所有する情報端末３００Ｂと、を含む。保護者Ｐおよび担当者Ｒの各々が情報端末３００Ａおよび情報端末３００Ｂを所有することによって、保護者Ｐおよび担当者Ｒの両者が、それぞれの情報端末３００に対象者Ｑの状態を含む生体情報を入力し、かつ該情報をそれぞれの情報端末３００に表示可能とすることができる。また、保護者Ｐおよび担当者Ｒの両者は、情報端末３００Ａおよび情報端末３００Ｂを介して、対象者Ｑの生体情報の他に画像や動画を、やり取りすることもできる。これにより、対象者Ｑの連絡帳としての役割を果たすことができる。
【００２２】
ここで、「生体情報」とは、体温計１００および活動量計２００によって測定された子供の体温、活動量および情報端末３００に入力された対象者Ｑの状態を相互に関連付けたものである。活動量とは、運動量、発汗量、心拍数、食事時間、昼寝などの睡眠時間などを指す。対象者Ｑの状態とは、発熱、下痢、嘔吐、発汗、睡眠や食事の様子などを指す。
【００２３】
図２に示すように、情報端末３００は、ＣＰＵ３１０、記憶部３２０、通信部３３０、表示部３４０、操作受付部３５０、および報知部３６０を有しており、これらは信号をやり取りするためのバスを介して相互に接続されている。
【００２４】
ＣＰＵ３１０は、記憶部３２０に記録されているプログラムにしたがって、上記各部の制御や各種の演算処理を行う。
【００２５】
記憶部３２０は、予め各種プログラムや各種データを記憶するＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、各種プログラムや各種データを記憶するハードディスク等を備える。
【００２６】
通信部３３０は、ネットワークを介して、体温計１００、活動量計２００、サーバー４００等と通信するためのインターフェースを備える。
【００２７】
表示部３４０は、図３に示すように、ＬＣＤ（液晶ディスプレイ）や有機ＥＬディスプレイ等を備え、対象者Ｑに関する種々の情報、注意や警告の内容を表示する。表示部３４０は、例えば、サーバー４００から受信した対象者Ｑに関するイベントおよび生体情報を、生体情報の日毎または時間毎の変動と比較可能に表示する。ここで、対象者Ｑに関する「イベント」とは、対象者Ｑの生活行動であり、例えば、登園、降園、登下校、運動、食事、昼寝、作業等を含む。なお、警告は、注意に比べ緊急度が高い。また、警告と注意は、対象者Ｑに関する緊急レベルや対象者Ｑに関する種々の情報の表示方法が異なる。
【００２８】
操作受付部３５０は、操作ボタン（図３を参照）やタッチセンサー等を備え、情報端末３００の使用者である保護者Ｐや担当者Ｒの各種操作を受け付ける。使用者は、操作受付部３５０を介して対象者Ｑに関する種々の情報の入力を行こともできる。なお、表示部３４０および操作受付部３５０は、表示部３４０としての表示面に、操作受付部３５０としてのタッチセンサーを重畳することによって、タッチパネルを構成してもよい。
【００２９】
報知部３６０は、例えばスピーカーである。本実施形態では図３に示すように、情報端末３００の側面には、スピーカーに対応する出力孔が形成されている。これにより、サーバー４００から受信した注意や警告は、報知部３６０から音声、報知音等として出力され出力孔を通じて外部に放出される。なお、報知部３６０は、さらに情報端末３００の内部に振動アクチュエータを有してもよい。これにより、報知部３６０は、サーバー４００から注意や警告を受信した際に、振動アクチュエータが情報端末３００を振動させることによって、使用者に注意や警告をバイブレーションとして報知することができる。
【００３０】
例えば、情報端末３００がＰＣ、スマートフォンやタブレット端末、スマートウォッチである場合は、情報端末３００内に専用アプリＡ（図３を参照）がインストールされることで、サーバー４００とデータ通信を行う。専用アプリＡがインストールされると、ＣＰＵ３１０は専用アプリＡを実行し、情報端末３００の各部を制御する。これにより、情報端末３００の各機能が実現される。情報端末３００をこのように構成することにより、使用者が元々保有しているスマートフォン等の汎用端末を活用して情報端末３００を実現することができる。したがって、使用者は専用端末を所持する必要がないため、情報端末３００を容易に所持することができる。
【００３１】
なお、情報端末３００は、上記構成要素以外の構成要素を含んでいてもよく、あるいは、上記構成要素のうちの一部が含まれていなくてもよい。情報端末３００は、例えば、ＣＰＵ３１０、記憶部３２０、通信部３３０を省略し、表示部３４０、操作受付部３５０、報知部３６０のみを有していてもよい。例えば、情報端末３００がスマートウォッチの場合は、操作受付部３５０を備えなくてもよい。これにより、使用者は表示部３４０および報知部３６０によって対象者Ｑに関する種々の情報、注意や警告を受け取ることができる。
【００３２】
（サーバー４００）
図４は、本実施形態に係るサーバー４００のハードウェア構成を示すブロック図である。
【００３３】
図４に示すように、サーバー４００は、取得部４１０、特定部４２０、記憶部４３０、判断部４４０、送信部４５０、および補正部４６０を有する。サーバー４００は、子供用施設内に設けられてもよく、遠隔地に設けられてネットワークを介して接続可能であってもよい。例えば、サーバー４００は、インターネット等のネットワーク上に配置された複数のサーバーによって仮想的に構築されるクラウドサーバーであってもよい。各構成は、バスによって、相互に通信可能に接続されている。
【００３４】
取得部４１０は、体温計１００、活動量計２００、情報端末３００から、対象者Ｑを含む複数の子供の体温、活動量、状態、および環境情報を取得する。
【００３５】
「環境情報」は、子供用施設の室内または室外における環境温度、子供用施設の室内または室外における環境湿度、天気の情報、子供用施設の近隣における感染症情報等を含む。
【００３６】
環境温度、環境湿度、天気の情報は、例えば、取得部４１０が、子供用施設内のホームネットワークと通信を行うことによって取得する。ホームネットワークは、無線などを介してエアコン、エアコンの室外機、温度計、湿度計等に接続することを可能とする。接続した機器のセンサーからは、環境情報を取得することができる。なお、環境情報は、保護者Ｐが所持する情報端末３００Ａまたは担当者Ｒが所持する情報端末３００Ｂに手入力したデータを、情報端末３００Ａまたは情報端末３００Ｂの通信部３３０からサーバー４００に送信してもよい。
【００３７】
「感染症情報」は、感染病における、各子供用施設内の感染者数、感染者の割合、感染者数の予測などの情報を含む。「感染症」とは、例えば、インフルエンザ、水疱瘡、麻疹、風疹等である。感染症情報は、取得部４１０によって取得された対象者Ｑ以外の複数の子供の生体情報によって取得されてもよく、インターネットを介して厚生労働省、各都道府県の衛生研究所や保険所、市区町村の役所のホームページ等から取得されてもよい。
【００３８】
特定部４２０は、取得部４１０によって取得された対象者Ｑの活動量に基づいて対象者Ｑに関するイベントを特定する。
【００３９】
記憶部４３０は、取得部４１０によって取得された対象者Ｑの生体情報、および特定部４２０によって特定された対象者Ｑに関するイベントを記憶する。
【００４０】
判断部４４０は、生体情報の閾値を、取得部４１０によって取得した対象者Ｑの生体情報と比較して、対象者Ｑが異常状態か否かを判断する。生体情報の閾値の詳細については後述する。
【００４１】
送信部４５０は、サーバー４００に登録されている情報端末３００にデータ、注意や警告の送信を行う。送信部４５０は、記憶部４３０に記憶された対象者Ｑのイベントおよび生体情報を、予め取得部４１０によって取得された対象者Ｑの生体情報の日毎または時間毎の変動と共に、情報端末３００Ａまたは情報端末３００Ｂに送信する。また、送信部４５０は、判断部４４０が対象者Ｑは異常状態であると判断した場合に、注意や警告を情報端末３００Ａまたは情報端末３００Ｂに送信する。
【００４２】
補正部４６０は、取得部４１０によって取得された生体情報から、体温計１００の測定原理の各々に応じた補正を加えた生体情報を生成する。これにより、体温計１００の機種の区別をすることなく、各測定値を指標にすることができる。そのため、保護者Ｐまたは担当者Ｒは、対象者Ｑの生体情報の変動をより正確に把握しやすくなる。
【００４３】
次に、図５〜図８を参照して、保護者Ｐが所有する情報端末３００Ａの表示部３４０が表示する対象者Ｑに関する種々の情報の表示方法について説明する。なお、担当者Ｒが所有する情報端末３００Ｂの表示部３４０は、保護者Ｐが所有する情報端末３００Ａの表示部３４０と同様の情報を表示してもよい。この場合、保護者Ｐが情報端末３００Ａを用いて行う操作は、担当者Ｒが情報端末３００Ｂを用いて行ってもよい。
【００４４】
図５〜図８は、本実施形態に係る生体情報の表示方法を説明するための図である。
【００４５】
図５に示すように、表示部３４０は、取得部４１０が取得した対象者Ｑの生体情報の日毎または時間毎の変動の過去のデータを、線グラフ形式によって表示する。過去のデータは、取得部４１０が取得した、一定期間における、対象者Ｑの生体情報の日毎または時間毎の変動の平均値であってもよい。また、過去のデータにおける線グラフは、すべてのデータを重畳して表示してもよく、平均値、上限値、下限値を表示してもよい。さらに、表示部３４０は、過去のデータを示す線グラフ上の各測定時点に対応するように対象者Ｑの現在の生体情報、イベント、および状態をそれぞれ吹き出し形式によって表示してもよい。これにより、保護者Ｐまたは担当者Ｒは対象者Ｑの現在の生体情報と過去の生体情報との変動を比較し、対象者Ｑの生体情報を多角的に把握することができる。
【００４６】
また、体温計１００および活動量計２００は異なる日時や複数の場所で使用されるため、表示部３４０は、取得したデータの種類を識別して表示する。例えば、同一指標であっても、測定日時、測定場所、体温計１００や活動量計２００の種類、測定者等の測定環境状況によって線の種類、記号、色、ポップアップ表示の有無などで区別を行う。これにより、体温計１００や活動量計２００等の測定機器のおいては、例えば、接触機器もしくは非接触機器、または高精度機器もしくは簡易機器等の機種の区別をすることができる。また、測定者によって生じる差異を考慮することができる。
【００４７】
過去のデータを示す線グラフ上に吹き出し形式によって表示する内容については、種々改変可能である。例えば、図５に示すように、対象者Ｑの現在の生体情報、イベント、および状態に加えて、測定者や測定機種を表示してもよい。
【００４８】
また、表示方法についても種々改変可能である。例えば、ポップアップ形式によって表示する場合は、過去のデータを示す線グラフ上の各測定時点を保護者Ｐまたは担当者Ｒがタップすると、図６に示すように、取得部４１０が取得した対象者Ｑの生体情報、イベント、および状態を、取得した日時とともに、表示部３４０に表示することができる。
【００４９】
図７に示すように、表示部３４０は、取得部４１０が取得した対象者Ｑの生体情報および状態と特定部４２０が取得したイベントとを関連づけて、リスト形式によって表示する。これにより、保護者Ｐまたは担当者Ｒは対象者Ｑの生体情報の変動をイベントに関連付けて把握することができる。
【００５０】
上記のような健康管理システム１による生体情報の表示方法によれば、対象者Ｑの体温、活動量および状態を相互に関連付けた対象者Ｑの生体情報が、予め取得された前記生体情報の日毎または時間毎の変動と共に保護者Ｐまたは担当者Ｒへ提供され、保護者Ｐまたは担当者Ｒは複数の判断指標に基づいて対象者Ｑの異常症状や症状の緊急度を判断することができる。これにより、保護者Ｐまたは担当者Ｒの安心、負担の低減につなげることができる。
【００５１】
図８に示すように、表示部３４０は、取得部４１０が取得した対象者Ｑを含む複数の子供の生体情報を、地図情報と関連付けて表示する。例えば、図８に示した生体情報は、複数の子供用施設に通う、対象者Ｑを含む複数の子供の２０１８年７月６日（金）１３時現在の平均体温である。これにより、保護者Ｐまたは担当者Ｒは、対象者Ｑを含む、近隣の子供用施設に通う複数の子供の生体情報を、対象者Ｑの生体情報の異常状態を判断する指標にすることができる。
【００５２】
図９は、本実施形態に係る環境情報の表示方法を説明するための図である。
【００５３】
図９に示すように、表示部３４０は、取得部４１０が取得した環境情報を、地図情報と関連付けて表示する。これにより、保護者Ｐまたは担当者Ｒは、近隣の環境情報を対象者Ｑの生体情報の異常状態を判断する指標にすることができる。
【００５４】
上記のような健康管理システム１による生体情報の表示方法によれば、予め取得された環境情報に基づいて、体温の調整が難しく、環境温度に影響を受けやすい子供の異常症状や症状の緊急度を判断することができる。これにより、保護者Ｐまたは担当者Ｒの安心、負担の低減につなげることができる。
【００５５】
図１０〜図１２は、本実施形態に係る感染症情報の表示方法を説明するための図である。
【００５６】
表示部３４０は、取得部４１０が取得した対象者Ｑを含む複数の子供の生体情報、特に各子供用施設内の感染症情報を表示する。子供用施設に学年や学級がある場合は、その単位ごとに表示する。これにより、移動感染や兄弟間の感染などといった感染の経路を予想することができる。保護者Ｐや担当者Ｒは、今後の感染者数を予想して対象者Ｑが通う学級が学級閉鎖になる前に対策を打つことができる。
【００５７】
また、特に乳幼児は、ウイルスによる感染症にかかると、体内に免疫がないために重傷になりやすい。そのため、保護者Ｐまたは担当者Ｒは、情報端末３００Ａまたは情報端末３００Ｂから近隣の子供用施設の感染症情報を逸早く得て、対象者Ｑの外出を控えさせる、早めに子供用施設に対象者Ｑを迎えに行くなどといった先手を打つことが重要である。
【００５８】
図１０に示すように、表示部３４０は、対象者Ｑを含む複数の子供の生体情報から、取得部４１０が取得した、各子供用施設内の感染者数、感染者の割合、および感染者数の予測を、表形式によって表示する。これにより、保護者Ｐまたは担当者Ｒは、近隣の子供用施設における感染者の割合の推移を知ることができる。なお、表の表示方法とその内容については種々改変可能である。例えば、図１０に示すように、一定の人数や割合を超えた場合、該当箇所をハイライト表示するなどして注意喚起を行うこともできる。
【００５９】
図１１に示すように、表示部３４０は、対象者Ｑを含む複数の子供の生体情報から、取得部４１０が取得した、各子供用施設内の感染者数を、棒グラフ形式によって、地図情報と関連付けて表示する。これにより、保護者Ｐまたは担当者Ｒは、近隣の子供用施設の感染者数を知ることができる。また、保護者Ｐまたは担当者Ｒは、図１０に示した感染症情報を、棒グラフ形式によって、より視覚的にとらえることができ、これにより、迅速に感染症情報を把握することができる。
【００６０】
図１２に示すように、表示部３４０は、対象者Ｑを含む複数の子供の生体情報から、取得部４１０が取得した、各子供用施設内の感染症情報を、地図情報と関連付けて表示する。これにより、保護者Ｐまたは担当者Ｒは、広域の感染症情報を得ることができる。なお、表示方法とその内容については種々改変可能である。図１２では、各都道府県の子供用施設における感染者の人数を色別で示したが、例えば、地図上において特定の人数の感染者が発生した地点を線で結んだ前線を用いて感染症情報を示してもよい。
【００６１】
なお、表示形式については種々改変可能である。例えば、バブルチャート、円グラフ、帯グラフ、ヒストグラムが挙げられる。
【００６２】
また、図１０〜図１２を参照して様々な感染症情報の表示方法を説明したが、取得部４１０によって取得された、対象者Ｑを含む複数の子供の生体情報に基づいて、特定部４２０は、一定期間内に判断部４４０が異常状態と判断した子供が多い近隣地域を特定し、特定部４２０によって特定された近隣地域の情報端末３００Ａまたは３００Ｂに警告を送信することもできる。
【００６３】
上記のような健康管理システム１による感染症情報の表示方法によれば、保護者Ｐまたは担当者Ｒは、取得部４１０より取得された、複数の子供の環生体情報に基づいて、感染症の感染地域や感染状況、緊急度を判断することができる。これにより、保護者Ｐまたは担当者Ｒは、近隣の子供用施設の感染症情報を逸早く得て、対象者Ｑの外出を控えさせることができる。また保護者Ｐは、早めに子供用施設に対象者Ｑを迎えに行くなどといった先手を打つことができる。そのため、保護者Ｐまたは担当者Ｒは、対象者Ｑの感染症の予防に努めることができる。
【００６４】
次に、図１３〜図１６を参照して、本実施形態にかかる健康管理システム１の動作について説明する。
【００６５】
図１３は、本実施形態にかかる健康管理システム１の制御方法を示す図である。
【００６６】
判断部４４０は、生体情報における体温に関して、第１閾値Ｔ１、第２閾値Ｔ２、第３閾値Ｔ３を予め設定する。
【００６７】
第１閾値Ｔ１とは、子供が発熱したと考えられる一般的な体温の値である。本実施形態では、第１閾値Ｔ１は３７．５℃とする。
【００６８】
子供の体温は、実施したイベントによって変動する。例えば、運動後や食事後は、子供の体温は高くなる傾向にある。逆に、昼寝後は、子供の体温は低くなる傾向にある。したがって、本実施形態では、子供が実施したイベントを考慮して、第２閾値Ｔ２および第３閾値Ｔ３を設定する。
【００６９】
第２閾値Ｔ２とは、第１閾値Ｔ１よりも高い値であり、対象者Ｑが運動後または食事後の場合に、過去の運動量、発汗量、心拍ごとの平熱データから設定する。本実施形態では、第２閾値Ｔ２は３８．０℃とする。
【００７０】
第３閾値Ｔ３とは、第１閾値Ｔ１よりも低い値であり、対象者Ｑが昼寝後の場合に、過去の運動量、発汗量、心拍ごとの平熱データから設定する。本実施形態では、第３閾値Ｔ３は３７．０℃とする。
【００７１】
（ステップＳ１０１）
取得部４１０は、対象者Ｑの生体情報から体温を取得する。
【００７２】
（ステップＳ１０２）
判断部４４０は、対象者Ｑの体温が第１閾値Ｔ１以上の場合（ＹＥＳ）、処理をステップＳ１０３に進める。対象者Ｑの体温が第１閾値Ｔ１よりも低い場合（ＮＯ）、処理をステップＳ１０８に進める。
【００７３】
（ステップＳ１０３）
取得部４１０は、対象者Ｑの生体情報から、活動量を取得する。特定部４２０は、活動量に基づいて、取得部４１０が取得した体温を測定する直前の対象者Ｑに関するイベント（運動、食事、昼寝等）を特定する。
【００７４】
（ステップＳ１０４）
判断部４４０は、対象者Ｑが運動後または食事後の場合（ＹＥＳ）、処理をステップＳ１０６に進める。対象者Ｑが運動後または食事後ではない場合（ＮＯ）、処理をステップＳ１０５に進める。
【００７５】
（ステップＳ１０５）
判断部４４０は、対象者Ｑの生体情報に異常があると判断し、送信部４５０は情報端末３００に警告を送信し、処理を終了する（エンド）。
【００７６】
（ステップＳ１０６）
判断部４４０は、対象者Ｑの体温が第２閾値Ｔ２以上の場合（ＹＥＳ）、処理をステップＳ１０７に進める。対象者Ｑの体温が第２閾値Ｔ２よりも低い場合（ＮＯ）、処理をステップＳ１０８に進める。
【００７７】
（ステップＳ１０７）
判断部４４０は、対象者Ｑの生体情報に異常があると判断し、送信部４５０は情報端末３００に警告を送信し、処理を終了する（エンド）。
【００７８】
（ステップＳ１０８）
判断部４４０は、対象者Ｑの生体情報に注意する必要があると判断し、送信部４５０は情報端末３００に注意を送信し、処理を終了する（エンド）。
【００７９】
（ステップＳ１０９）
取得部４１０は、対象者Ｑの生体情報から、活動量を取得する。特定部４２０は、活動量に基づいて、取得部４１０が取得した体温を測定する直前の対象者Ｑに関するイベント（運動、食事、昼寝等）を特定する。
【００８０】
（ステップＳ１１０）
判断部４４０は、対象者Ｑが昼寝後の場合（ＹＥＳ）、処理をステップＳ１１１に進める。対象者Ｑが昼寝後ではない場合（ＮＯ）、対象者Ｑの生体情報に異常がないと判断し、処理を終了する（エンド）。
【００８１】
（ステップＳ１１１）
判断部４４０は、対象者Ｑの生体情報が第３閾値Ｔ３以上の場合（ＹＥＳ）、処理をステップＳ１１２に進める。判断部４４０は、対象者Ｑの生体情報が第３閾値Ｔ３よりも低い場合（ＮＯ）、対象者Ｑの生体情報に異常がないと判断し、処理を終了する（エンド）。
【００８２】
（ステップＳ１１２）
判断部４４０は、対象者Ｑの生体情報に異常があると判断し、送信部４５０は情報端末３００に警告を送信し、処理を終了する（エンド）。
【００８３】
上記のように、図１３に示す健康管理システム１による制御方法によれば、子供が発熱したと考えられる一般的な体温の値である第１閾値Ｔ１と、イベント毎の平熱データに基づいて設定された第２閾値Ｔ２および第３閾値Ｔ３のうちいずれか一方を、対象者Ｑの体温の異常を判断する指標としている。そのため、イベントによって影響を受けやすい子供の異常症状を、複数の判断指標に基づいて判断することができる。
【００８４】
なお、イベントに基づいて第２閾値Ｔ２および第３閾値Ｔ３を設定する形態に限定されず、例えば取得部４１０が取得した活動量の心拍数から第２閾値Ｔ２および第３閾値Ｔ３を決定してもよい。子供の体温は、心拍数が高い程高く、心拍数が低い程低い傾向にある。そこで、心拍数が高い場合の平熱データから第２閾値Ｔ２を設定し、心拍数が低い場合の平熱データから第３閾値Ｔ３を設定してもよい。
【００８５】
図１４は、本実施形態にかかる健康管理システム１の制御方法を示す図である。
【００８６】
子供の体温は、環境温度によって変動する。環境温度が高い場合は、子供の体温は高くなり、逆に低い場合は、子供の体温は低くなる傾向にある。したがって、本実施形態では、環境温度を考慮して、第４閾値Ｔ４および第５閾値Ｔ５を設定する。
【００８７】
第４閾値Ｔ４とは、第１閾値Ｔ１よりも高い値であり、環境温度が２５度以上の場合に設定する。本実施形態では、第４閾値Ｔ４は３８．０℃とする。
【００８８】
第５閾値Ｔ５とは、第１閾値Ｔ１よりも低い値であり、環境温度が２０度以下の場合に設定する。本実施形態では、第５閾値Ｔ５は３７．０℃とする。
【００８９】
（ステップＳ２０１）
取得部４１０は、対象者Ｑの生体情報から体温を取得する。
【００９０】
（ステップＳ２０２）
判断部４４０は、対象者Ｑの体温が第１閾値Ｔ１以上の場合（ＹＥＳ）、処理をステップＳ２０３に進める。対象者Ｑの体温が第１閾値Ｔ１よりも低い場合（ＮＯ）、処理をステップＳ２０８に進める。
【００９１】
（ステップＳ２０３）
取得部４１０は、環境情報のうち、環境温度を取得する。取得部４１０は、対象者Ｑが子供用施設の室内で活動している場合は環境温度として室内温度、子供用施設の室外で活動している場合は環境温度として室外温度を取得する。
【００９２】
（ステップＳ２０４）
判断部４４０は、環境温度が２５℃以上の場合（ＹＥＳ）、処理をステップＳ２０６に進める。環境温度が２５℃よりも低い場合（ＮＯ）、処理をステップＳ２０５に進める。なお、環境温度の下限値は、２５℃に限定されず、季節や地域に応じて適宜変更することができる。例えば、冬や寒い地域では、２２℃〜２４℃に設定してもよい。
【００９３】
（ステップＳ２０５）
判断部４４０は、対象者Ｑの生体情報に異常があると判断し、送信部４５０は情報端末３００に警告を送信し、処理を終了する（エンド）。
【００９４】
（ステップＳ２０６）
判断部４４０は、対象者Ｑの体温が第４閾値Ｔ４以上の場合（ＹＥＳ）、処理をステップＳ２０７に進める。対象者Ｑの体温が第４閾値Ｔ４よりも低い場合（ＮＯ）、処理をステップＳ２０８に進める。
【００９５】
（ステップＳ２０７）
判断部４４０は、対象者Ｑの生体情報に異常があると判断し、送信部４５０は情報端末３００に警告を送信し、処理を終了する（エンド）。
【００９６】
（ステップＳ２０８）
判断部４４０は、対象者Ｑの生体情報に注意する必要があると判断し、送信部４５０は情報端末３００に注意を送信し、処理を終了する（エンド）。
【００９７】
（ステップＳ２０９）
取得部４１０は、環境情報のうち、環境温度を取得する。取得部４１０は、対象者Ｑが子供用施設の室内で活動している場合は環境温度として室内温度、子供用施設の室外で活動している場合は環境温度として室外温度を取得する。
【００９８】
（ステップＳ２１０）
判断部４４０は、環境温度が２０℃以下の場合（ＹＥＳ）、処理をステップＳ２１１に進める。判断部４４０は、環境温度が２０℃よりも高い場合（ＮＯ）、対象者Ｑの生体情報に異常がないと判断し、処理を終了する（エンド）。
【００９９】
（ステップＳ２１１）
判断部４４０は、対象者Ｑの体温が第５閾値Ｔ５以上の場合（ＹＥＳ）、処理をステップＳ２１２に進める。判断部４４０は、対象者Ｑの体温が第５閾値Ｔ５よりも低い場合（ＮＯ）、対象者Ｑの生体情報に異常がないと判断し、処理を終了する（エンド）。
【０１００】
（ステップＳ２１２）
判断部４４０は、対象者Ｑの生体情報に異常があると判断し、送信部４５０は情報端末３００に警告を送信し、処理を終了する（エンド）。
【０１０１】
上記のように、図１４に示す健康管理システム１による制御方法によれば、子供が発熱したと考えられる一般的な体温の値である第１閾値Ｔ１と、環境情報に基づいて設定された第４閾値Ｔ４および第５閾値Ｔ５のうちいずれか一方を、対象者Ｑの体温の異常を判断する指標としている。そのため、環境に影響を受けやすい子供の異常症状を、複数の判断指標に基づいて判断することができる。
【０１０２】
図１５は、本実施形態にかかる健康管理システム１の制御方法を示す図である。
【０１０３】
判断部４４０は、生体情報における体温に関して、第６閾値Ｔ６をフロー処理中に設定する。詳細については後述する。
【０１０４】
（ステップＳ３０１）
取得部４１０は、対象者Ｑの生体情報から体温を取得する。
【０１０５】
（ステップＳ３０２）
判断部４４０は、対象者Ｑの体温が第１閾値Ｔ１以上の場合（ＹＥＳ）、処理をステップＳ３０３に進める。判断部４４０は、対象者Ｑの体温が第１閾値Ｔ１よりも低い場合（ＮＯ）、対象者Ｑの生体情報に異常がないと判断し、処理を終了する（エンド）。
【０１０６】
（ステップＳ３０３）
取得部４１０は、複数の子供の生体情報から、対象者Ｑと子供用施設の学年や学級が同じである、対象者Ｑ以外の１人以上の子供の平熱データを取得する。
【０１０７】
（ステップＳ３０４）
判断部４４０は、第６閾値Ｔ６を設定する。第６閾値Ｔ６とは、第１閾値Ｔ１よりも高い値であり、対象者Ｑと子供用施設の学年や学級が同じである、対象者Ｑ以外の１人以上の子供の平熱データから設定する。本実施形態では、第６閾値Ｔ６は３８．０℃とする。なお、「対象者Ｑ以外の１人以上の子供」は、対象者Ｑと子供用施設の学年や学級が同じであることに限定されず、例えば、他学年（好ましくは、１年上または１年下）や他の子供用施設から１人以上の子供を選んでもよい。
【０１０８】
（ステップＳ３０５）
判断部４４０は、対象者Ｑの体温が第６閾値Ｔ６以上の場合（ＹＥＳ）、処理をステップＳ３０６に進める。対象者Ｑの体温が第６閾値Ｔ６よりも低い場合（ＮＯ）、処理をステップＳ３０７に進める。
【０１０９】
（ステップＳ３０６）
判断部４４０は、対象者Ｑの生体情報に異常があると判断し、送信部４５０は情報端末３００に警告を送信し、処理を終了する（エンド）。
【０１１０】
（ステップＳ３０７）
判断部４４０は、対象者Ｑの生体情報に注意する必要があると判断し、送信部４５０は情報端末３００に注意を送信し、処理を終了する（エンド）。
【０１１１】
上記のように、図１５に示す健康管理システム１による制御方法によれば、子供が発熱したと考えられる一般的な体温の値である第１閾値Ｔ１と、対象者Ｑ以外の１人以上の子供の平熱データによって設定された第６閾値Ｔ６を、対象者Ｑの体温の異常を判断する指標としている。そのため、対象者Ｑの異常症状を、対象者Ｑ以外の１人以上の子供のデータに基づいて判断することができる。
【０１１２】
図１６は、本実施形態にかかる健康管理システム１の制御方法を示す図である。
【０１１３】
判断部４４０は、生体情報における体温に関して、第７閾値Ｔ７をフロー処理中に設定する。詳細については後述する。
【０１１４】
（ステップＳ４０１）
取得部４１０は、対象者Ｑの生体情報から体温を取得する。
【０１１５】
（ステップＳ４０２）
判断部４４０は、対象者Ｑの体温が第１閾値Ｔ１以上の場合（ＹＥＳ）、処理をステップＳ４０３に進める。対象者Ｑの体温が第１閾値Ｔ１よりも低い場合（ＮＯ）、処理を終了する（エンド）。
【０１１６】
（ステップＳ４０３）
取得部４１０は、対象者Ｑの過去の平熱データの変動（図５を参照）を取得する。
【０１１７】
（ステップＳ４０４）
判断部４４０は、第７閾値Ｔ７を設定する。第７閾値Ｔ７とは、第１閾値Ｔ１よりも高い値であり、対象者Ｑの過去の平熱データの変動から設定する。本実施形態では、第７閾値Ｔ７は３８．０℃とする。
【０１１８】
（ステップＳ４０５）
判断部４４０は、対象者Ｑの体温が第７閾値Ｔ７以上の場合（ＹＥＳ）、処理をステップＳ４０６に進める。対象者Ｑの体温が第７閾値Ｔ７よりも低い場合（ＮＯ）、処理をステップＳ４０７に進める。
【０１１９】
（ステップＳ４０６）
判断部４４０は、対象者Ｑの生体情報に異常があると判断し、送信部４５０は情報端末３００に警告を送信し、処理を終了する（エンド）。
【０１２０】
（ステップＳ４０７）
判断部４４０は、対象者Ｑの生体情報に注意する必要があると判断し、送信部４５０は情報端末３００に注意を送信し、処理を終了する（エンド）。
【０１２１】
上記のように、図１６に示す健康管理システム１による制御方法によれば、子供が発熱したと考えられる一般的な体温の値である第１閾値Ｔ１と、対象者Ｑの過去の平熱データの変動によって設定された第７閾値Ｔ７を、対象者Ｑの体温の異常を判断する指標としている。そのため、保護者Ｐまたは担当者Ｒは対象者Ｑの異常症状を、過去のデータに基づいて判断することができる。
【０１２２】
以上説明したように健康管理システム１は、体温計１００、情報端末３００およびサーバー４００を備える。サーバー４００は、健康管理システム１の各装置から対象者Ｑの体温を取得する取得部４１０と、取得部４１０によって取得された体温を記憶する記憶部４３０と、記憶部４３０に記憶された体温を予め取得された生体情報の日毎または時間毎の変動と共に、情報端末３００に送信する送信部４５０と、を有する。情報端末３００は、サーバー４００から受信した体温を、生体情報の日毎または時間毎の変動と比較可能に表示する表示部３４０を有する。
【０１２３】
上記本実施形態に係る健康管理システム１によれば、サーバー４００は、予め取得した体温を情報端末３００へ送信することができる。このため、子供用施設の担当者Ｒや対象者Ｑの保護者Ｐは、過去の体温と関連付けて対象者Ｑの状態を正確に把握することができる。その結果、保護者Ｐまたは担当者Ｒへ提供される、対象者Ｑである子供に関する情報をより質の高いものとし、保護者Ｐまたは担当者Ｒの安心や負担の低減につなげることができる。
【０１２４】
また、健康管理システム１は、対象者Ｑの活動量を計測する活動量計２００を備えてもよい。この場合、サーバー４００は、活動量に基づいて対象者Ｑに関するイベントを特定する特定部４２０をさらに有し、情報端末３００の表示部３４０は、サーバー４００から受信した、対象者Ｑの体温、活動量および状態を相互に関連付けた対象者Ｑの生体情報およびイベントを、生体情報の日毎または時間毎の変動と比較可能に表示する。
【０１２５】
上記本実施形態に係る健康管理システム１によれば、サーバー４００は、取得した活動量に基づいて、特定部４２０が対象者Ｑに関するイベント（生活行動）を自動的に特定して情報端末３００へ送信することができる。このため、子供用施設の担当者Ｒや対象者Ｑの保護者Ｐは、生体情報と関連付けて対象者Ｑに関するイベントを記録する手間が省ける。このように、対象者Ｑに関する情報の記録を自動化することによって、子供用施設は業務改善を図ることができる。
【０１２６】
また、子供である対象者Ｑの生体情報は、イベントによって変動するため、イベントを生体情報と関連付けて表示することによって、保護者Ｐまたは担当者Ｒは対象者Ｑの状態を正確に把握することができる。さらに、生体情報およびイベントを、生体情報の日毎または時間毎の変動と比較可能に表示する情報端末３００を保護者Ｐまたは担当者Ｒが所持することによって、保護者Ｐまたは担当者Ｒは複数の判断指標に基づいて対象者Ｑの異常症状や症状の緊急度を判断することができる。その結果、保護者Ｐまたは担当者Ｒへ提供される、対象者Ｑである子供に関する情報をより質の高いものとし、保護者Ｐまたは担当者Ｒの安心や負担の低減につなげることができる。
【０１２７】
取得部４１０は、複数の子供用施設の室内または室外における環境温度、複数の子供用施設の室内または室外における環境湿度、および複数の子供用施設の近隣における感染症情報のうち少なくとも１つを含む環境情報をさらに取得し、情報端末３００の表示部３４０に表示してもよい。これにより、保護者Ｐまたは担当者Ｒは、環境情報に基づいて、体温の調整が難しく環境温度に影響を受けやすい対象者Ｑの異常症状や症状の緊急度を判断することができる。また、保護者Ｐまたは担当者Ｒは、環境情報に基づいて、対象者Ｑの感染症の予防に努めることもできる。
【０１２８】
サーバー４００は、生体情報の閾値を対象者Ｑの生体情報と比較して、対象者Ｑが異常状態か否かを判断する判断部４４０をさらに有してもよい。送信部４５０は、判断部４４０が対象者Ｑは異常状態であると判断した場合に、注意や警告を情報端末３００に送信する。また、情報端末３００は、サーバー４００から受信した注意や警告を報知する報知部３６０をさらに有してもよい。これにより、保護者Ｐまたは担当者Ｒは生体情報の閾値に基づく複数の判断指標に基づいて、対象者Ｑの異常症状や症状の緊急度を判断することができる。また、保護者Ｐまたは担当者Ｒは報知部３６０によって警告に逸早く気が付くことができる。
【０１２９】
また、生体情報の閾値は、対象者Ｑの生体情報の日毎または時間毎の変動、およびイベントにおける対象者Ｑの生体情報のうち少なくとも１つの情報に基づいて決定してもよい。そのため、保護者Ｐまたは担当者Ｒは対象者Ｑの異常症状を、過去の生体情報のデータに基づいて判断することができる。
【０１３０】
生体情報の閾値は、イベントまたは環境情報のうち少なくとも１つの情報に基づいて決定してもよい。例えば、判断部４４０は、子供が発熱したと考えられる一般的な体温の値である閾値と、イベントまたは環境情報のうち少なくとも１つの情報に基づいて設定された閾値を、対象者Ｑの体温の異常を判断する指標とする。これにより、保護者Ｐまたは担当者Ｒは、体温の調整が難しいために環境温度に影響を受けやすく、またイベントによって影響を受けやすい子供の異常症状を複数の判断指標に基づいて判断することができる。
【０１３１】
また、生体情報の閾値は、対象者Ｑである子供以外の１人以上の子供の生体情報に基づいて決定してもよい。例えば、判断部４４０は、子供が発熱したと考えられる一般的な体温の値である閾値と、対象者Ｑ以外の複数の子供の平熱データによって設定された閾値を、対象者Ｑの体温の異常を判断する指標とする。これにより、保護者Ｐまたは担当者Ｒは、対象者Ｑの異常症状を複数の子供のデータに基づいて判断することができる。
【０１３２】
さらに、取得部４１０は、対象者Ｑを含む複数の子供の生体情報を取得し、特定部４２０は、取得部４１０によって取得された複数の子供の生体情報に基づいて、一定期間内に判断部４４０が異常状態と判断した子供が多い近隣地域を特定し、送信部４５０は、特定部４２０によって特定された近隣地域の情報端末３００に警告を送信してもよい。これにより、取得部４１０より取得された、複数の子供の生体情報に基づいて、感染症の感染地域や感染状況、緊急度を判断することができる。その結果、保護者Ｐまたは担当者Ｒは、近隣の子供用施設の感染症情報を逸早く得て、対象者Ｑの外出を控えさせることができる。また、保護者Ｐは早めに子供用施設に対象者Ｑを迎えに行くなどといった先手を打つことができる。
【０１３３】
サーバー４００は、取得部４１０から取得した測定原理の異なる複数の体温計１００の測定値に、測定原理の各々に応じた補正を加えた生体情報を生成する補正部４６０をさらに有してもよい。これにより、体温計の機種の区別をすることなく、各測定値を指標にすることができる。そのため、保護者Ｐまたは担当者Ｒは、対象者Ｑの生体情報の変動を把握しやすくなる。
【０１３４】
活動量計２００は、対象者Ｑの所有物、例えば名札、靴、帽子など組み込まれ、識別情報が記録されたＩＣタグを含んでもよい。これにより、対象者Ｑが活動量計２００を無くすリスクや、活動量計２００による測定を行い忘れるリスクを避けることができる。
【０１３５】
以上、実施形態を通じて健康管理システム１を説明したが、本発明は実施形態において説明した構成に限定されることはなく、特許請求の範囲の記載に基づいて適宜変更することが可能である。例えば、本実施形態において、健康管理システム１は活動量計２００を備えなくてもよい。この場合、対象者Ｑに関するイベントは、保護者Ｐおよび担当者Ｒが対象者Ｑを見ることによって判断し、情報端末３００Ａまたは３００Ｂから手入力される。
【０１３６】
また、複数の情報端末の一部を医療関係者に所持させてもよい。これにより、サーバー４００の取得部４１０によって取得された、子供の体温、活動量および状態を相互に関連付けた子供の生体情報を医療関係者と共有することができる。保護者や子供用施設の担当者は、医療関係者と子供に関する情報を共有することによって、子供に関することを医療関係者に相談してサポートを受けることができる。例えば、臨床心理士に対しては、子供の精神面の不安、子供の言葉の聞き取りに関する発達度、発達スクリーニング検査を含む療育や訓練についてサポートを受けることができる。また、作業療法士に対しては、身体と心のサポートや、食事、遊び、スポーツを含む作業療法についてサポートを受けることができる。
【０１３７】
近年、子供用施設における教育施設において、軽度発達障害者の受け入れが難しいという問題がある。例えば、保育園の場合、保護者が自治体へ申請することで受けられる加配制度があるが、申請方法は煩雑であり、軽度発達障害者に対して知識や経験がない保育士に加配担当になる可能性もある。そのため、加配制度は、保護者側、子供用施設側双方にとって不安要素が大きい。このような場合に、上記のように情報端末を医療関係者に所持させることによって、保護者や子供用施設の担当者の安心や負担の軽減につなげることができる。その結果、子供用施設は加配内容の質を高めることができる。このように、健康管理システム１を利用することによって、子供用施設の業務改善や、保護者または担当者の安心、負担軽減につながるだけでなく、社会貢献も可能となる。
【符号の説明】
【０１３８】
１  健康管理システム、
１００  体温計、
２００  活動量計、
３００  情報端末、
３１０  ＣＰＵ、
３２０  記憶部、
３３０  通信部、
３４０  表示部、
３５０  操作受付部、
３６０  報知部、
４００  サーバー、
４１０  取得部、
４２０  特定部、
４３０  記憶部、
４４０  判断部、
４５０  送信部、
４６０  補正部、
Ａ      専用アプリ、
Ｐ      保護者、
Ｑ      対象者、
Ｒ      担当者。
【図１】
2020086917.tif 000003
【図２】
2020086917.tif 000004
【図３】
2020086917.tif 000005
【図４】
2020086917.tif 000006
【図５】
2020086917.tif 000007
【図６】
2020086917.tif 000008
【図７】
2020086917.tif 000009
【図８】
2020086917.tif 000010
【図９】
2020086917.tif 000011
【図１０】
2020086917.tif 000012
【図１１】
2020086917.tif 000013
【図１２】
2020086917.tif 000014
【図１３】
2020086917.tif 000015
【図１４】
2020086917.tif 000016
【図１５】
2020086917.tif 000017
【図１６】
2020086917.tif 000018